(57)【要約】【課題】クライアント端末から検索サーバに対して検索式による検索要求を行うネットワークシステムにおいて、クライアント端末における検索要求操作を支援する検索支援装置を提供する。【解決手段】検索支援装置は、検索式データベースと、検索式データベースに登録されている検索式のうちクライアント端末が検索サービスで利用し得る検索式を提示する利用検索式提示手段と、提示された検索式による検索を検索サーバに実行させるための検索制御情報をクライアント端末に提供する制御情報提供手段と、を備え、利用検索式提示手段は検索式付随情報をクライアント端末の画面に表示する。  そして、クライアント端末において、検索式の選択操作が行われると、検索サーバに対して選択された検索式による検索要求が行われる。【選択図】図５
2010009465.tif 000002
【特許請求の範囲】
【請求項１】
キーワードが演算子で結合された検索式による検索サービスを提供する検索サーバと、前記検索サーバにネットワーク接続され、前記検索サーバに対して検索式による検索要求を行う複数のクライアント端末と、で構成されるネットワークシステムにおいて、前記クライアント端末における検索式による検索要求を支援する検索支援装置であって、
特定の検索結果を得られる検索式と、この検索式に固有の検索式付随情報とが、対応付けて登録された検索式データベースと、
前記検索式データベースに登録されている検索式のうち、前記クライアント端末が検索サービスで利用し得る検索式を提示する利用検索式提示手段と、
前記利用検索式提示手段により提示された検索式による検索を前記検索サーバに実行させるための検索制御情報を前記クライアント端末に提供する制御情報提供手段と、を備え、
前記利用検索式提示手段は、前記検索式付随情報を前記クライアント端末の画面に表示することにより、当該検索式付随情報に対応する検索式が、前記クライアントが利用し得る検索式であることを示し、
前記クライアント端末において、前記利用検索式提示手段により提示された検索式の選択操作が行われたときに、前記検索制御情報に基づく処理が実行され、前記検索サーバに対して前記選択された検索式による検索要求が行われることを特徴とする検索支援装置。
【請求項２】
前記検索式付随情報には、対応する検索式の識別情報、アイコン、タイトル名のうちの何れか一つが含まれることを特徴とする請求項１に記載の検索支援装置。
【請求項３】
前記検索式付随情報には、対応する検索式による検索で得られることが期待される予想検索結果が含まれることを特徴とする請求項１または２に記載の検索支援装置。
【請求項４】
前記検索式付随情報を前記クライアント端末の画面にリスト形式で表示することにより、前記検索式データベースに登録されている複数の検索式を提示する登録検索式提示手段を備え、
前記利用検索式提示手段は、前記登録検索式提示手段により提示された複数の検索式のうち、前記クライアントにおけるユーザ操作に基づいて選択された検索式を、当該クライアントが前記検索サービスで利用し得る検索式として提示することを特徴とする請求項１から３のいずれか一項に記載の検索支援装置。
【請求項５】
前記登録検索式提示手段は、前記複数のクライアント端末における選択頻度が高い順に、前記複数の検索式を並び替えることを特徴とする請求項４に記載の検索支援装置。
【請求項６】
前記利用検索式提示手段は、前記クライアント端末において起動されたウェブブラウザ上に、前記選択された検索式を提示することを特徴とする請求項４または５に記載の検索支援装置。
【請求項７】
前記利用検索式提示手段は、前記クライアント端末におけるデスクトップ上に、前記選択された検索式付随情報に対応する検索式を提示することを特徴とする請求項４または５に記載の検索支援装置。
【請求項８】
前記検索式データベースは、前記複数のクライアント端末において生成された検索式及びこれに対応する検索式付随情報を登録可能であることを特徴とする請求項１から７のいずれか一項に記載の検索支援装置。
【請求項９】
前記検索式データベースには、前記特定の検索結果を得られる検索式に対応して、広告情報が登録されており、
前記利用検索式提示手段は、前記クライアント端末の画面に、前記検索式付随情報とともに前記広告情報を表示することを特徴とする請求項１から８のいずれか一項に記載の検索支援装置。
【発明の詳細な説明】
【技術分野】
【０００１】
本発明は、検索サーバとクライアント端末で構成され、クライアント端末から検索サーバに対して検索式による検索要求を行うネットワークシステムにおいて、クライアント端末における検索要求操作を支援する検索支援装置に関する。
【背景技術】
【０００２】
近年、様々な情報がインターネット上で公開されており、パーソナルコンピュータ等のクライアント端末によりこれらの情報を容易に閲覧できるようになっている。また、インターネット上で公開されている情報は膨大な数にのぼるため、ユーザが所望の情報（例えば、ウェブページ）を効率よく入手できるように、ポータルサイト等によって検索サービスが提供されている。
一般に、ユーザはクライアント端末でウェブブラウザを起動して、ウェブブラウザ上に検索サービスのウェブページ（例えば、ポータルサイトのトップページ）を表示させ、検索窓と呼ばれるテキスト入力欄にキーワードを入力することで検索を実行する。そして、検索サービスを提供するウェブサーバによって、クライアント端末から送信された検索条件（例えば、キーワード）に適合する検索結果が抽出され、この検索結果がクライアント端末に提示される。
【０００３】
検索サービスにおいては、操作が簡単なことから、単独のキーワードまたは複数のキーワードをスペースで区切って入力する方法が主として利用されているが、複数のキーワードを演算子で結合した検索式による検索も可能となっている。なお、複数のキーワードをスペースで区切って入力する方法も、表示上は単なるキーワード入力であるが、検索式による検索の一つ（ＡＮＤ検索）である。
【０００４】
図９は、検索式に用いられる演算子の一例を示す説明図である。
図９に示すように、演算子としては、“ＡＮＤ”、“ＯＲ”、“ＮＯＴ”、“（）”の４種類が知られている。
ＡＮＤ演算子は、“ＡＮＤ”で結合される２つのキーワードの全てが含まれる情報を検索するための演算子であり、例えば、“Ａ  ＡＮＤ  Ｂ”（Ａ、Ｂはキーワード、以下同じ）で表される検索式による検索が行われると、Ａ、Ｂの両方を含む情報が抽出される。
ＯＲ演算子は、“ＯＲ”で結合される２つのキーワードの何れかが含まれる情報を検索するための演算子であり、例えば、“Ａ  ＯＲ  Ｂ”で表される検索式による検索が行われると、Ａ、Ｂの何れか一方を含む情報が抽出される。
ＮＯＴ演算子は、“ＮＯＴ”の後に入力されるキーワードを含まない情報を検索するための演算子であり、例えば、“Ａ  ＮＯＴ  Ｂ”で表される検索式による検索が行われると、Ａを含む情報のうち、Ｂを含まない情報、すなわちＡだけを含む情報が抽出される。
“（）”は、内側に入力された検索式による検索を優先して行うための演算子で、例えば、“（Ａ  ＡＮＤ  Ｂ）  ＮＯＴ  Ｃ”で表される検索式による検索が行われると、Ａ、Ｂの両方を含む情報のうち、Ｃを含まない情報が抽出される。
【０００５】
図１０は、特定の検索結果を得るための検索式の入力例について示す説明図である。
図１０に示すように、例えば、Ｗｉｎｄｏｗｓ（登録商標）で聞ける音楽または音源（ＭＩＤＩは含まない）を紹介するサイトが知りたい場合には、“Ｗｉｎｄｏｗｓ  ＡＮＤ  （音楽  ＯＲ  音源）  ＮＯＴ  ＭＩＤＩ”という検索式が利用される。また例えば、コンピュータまたはインターネットに関する雑誌を知りたいときには、“雑誌  ＡＮＤ  （コンピュータ  ＯＲ  インターネット）”という検索式が利用される。
このように、図９に示す演算子とキーワードを上手に組み合わせることにより、膨大な情報の中から所望の情報を効率よく検索することが可能となる。
【０００６】
検索式を用いた検索方法に関する技術として、例えば、キーワード等の検索条件を、演算子に関連付けられたアイコンにドラッグするという簡単な操作のみで検索式を生成する技術が提案されている（例えば、特許文献１）。
【特許文献１】特開平１１−４５２７１号公報
【発明の開示】
【発明が解決しようとする課題】
【０００７】
しかしながら、検索式による検索はユーザへの認知度が低い上、所望の情報を得るための検索式の生成は容易ではないため、検索サービスにおいてほとんど利用されていないのが現状である。また、苦労して検索式を生成しても、いざ検索を実行してみると所望する検索結果が得られない場合もあるため、敬遠されがちとなっている。
特許文献１に記載の技術を利用すると検索式の生成操作は簡単になるが、検索式自体の構成はユーザが考えなければならないため、やはり検索式による検索を有効に利用する術としては不十分である。
【０００８】
本発明は、検索サーバとクライアント端末で構成され、クライアント端末から検索サーバに対して検索式による検索要求を行うネットワークシステムにおいて、クライアント端末における検索要求操作を支援する検索支援装置を提供することを目的とする。
【課題を解決するための手段】
【０００９】
上記目的を達成するため、請求項１に記載の発明は、キーワードが演算子で結合された検索式による検索サービスを提供する検索サーバと、前記検索サーバにネットワーク接続され、前記検索サーバに対して検索式による検索要求を行う複数のクライアント端末と、で構成されるネットワークシステムにおいて、前記クライアント端末における検索式による検索要求を支援する検索支援装置であって、
特定の検索結果を得られる検索式と、この検索式に固有の検索式付随情報とが、対応付けて登録された検索式データベースと、
前記検索式データベースに登録されている検索式のうち、前記クライアント端末が検索サービスで利用し得る検索式を提示する利用検索式提示手段と、
前記利用検索式提示手段により提示された検索式による検索を前記検索サーバに実行させるための検索制御情報を前記クライアント端末に提供する制御情報提供手段と、を備え、
前記利用検索式提示手段は、前記検索式付随情報を前記クライアント端末の画面に表示することにより、当該検索式付随情報に対応する検索式が、前記クライアントが利用し得る検索式であることを示し、
前記クライアント端末において、前記利用検索式提示手段により提示された検索式の選択操作が行われたときに、前記検索制御情報に基づく処理が実行され、前記検索サーバに対して前記選択された検索式による検索要求が行われることを特徴とする。
【００１０】
請求項２に記載の発明は、請求項１に記載の検索支援装置において、前記検索式付随情報には、対応する検索式の識別情報、アイコン、タイトル名のうちの何れか一つが含まれることを特徴とする。
【００１１】
請求項３に記載の発明は、請求項１または２に記載の検索支援装置において、前記検索式付随情報には、対応する検索式による検索で得られることが期待される予想検索結果が含まれることを特徴とする。
【００１２】
請求項４に記載の発明は、請求項１から３のいずれか一項に記載の検索支援装置において、前記検索式付随情報を前記クライアント端末の画面にリスト形式で表示することにより、前記検索式データベースに登録されている複数の検索式を提示する登録検索式提示手段を備え、
前記利用検索式提示手段は、前記登録検索式提示手段により提示された複数の検索式のうち、前記クライアントにおけるユーザ操作に基づいて選択された検索式を、当該クライアントが前記検索サービスで利用し得る検索式として提示することを特徴とする。
【００１３】
請求項５に記載の発明は、請求項４に記載の検索支援装置において、前記登録検索式提示手段は、前記複数のクライアント端末における選択頻度が高い順に、前記複数の検索式を並び替えることを特徴とする。
【００１４】
請求項６に記載の発明は、請求項４または５に記載の検索支援装置において、前記利用検索式提示手段は、前記クライアント端末において起動されたウェブブラウザ上に、前記選択された検索式を提示することを特徴とする。
【００１５】
請求項７に記載の発明は、請求項４または５に記載の検索支援装置において、前記利用検索式提示手段は、前記クライアント端末におけるデスクトップ上に、前記選択された検索式付随情報に対応する検索式を提示することを特徴とする。
【００１６】
請求項８に記載の発明は、請求項１から７のいずれか一項に記載の検索支援装置において、前記検索式データベースは、前記複数のクライアント端末において生成された検索式及びこれに対応する検索式付随情報を登録可能であることを特徴とする。
【００１７】
請求項９に記載の発明は、請求項１から８のいずれか一項に記載の検索支援装置において、前記検索式データベースには、前記特定の検索結果を得られる検索式に対応して、広告情報が登録されており、
前記利用検索式提示手段は、前記クライアント端末の画面に、前記検索式付随情報とともに前記広告情報を表示することを特徴とする。
【発明の効果】
【００１８】
本発明によれば、ユーザは、検索式を意識することなく簡単な操作により、検索式による検索要求を検索サーバに対して行うことができ、所望の検索結果を容易に取得することができる。
【発明を実施するための最良の形態】
【００１９】
以下、本発明の実施の形態を図面に基づいて説明する。
図１は、本実施形態に係るネットワーク構成について示す概略図である。
本実施形態では、サーバ１からネットワークＮを介して提供される検索サービスが、クライアント２において利用される場合について示している。
【００２０】
図１に示すように、サーバ１には、通信ネットワークＮを介してクライアント２（例えば、パーソナルコンピュータ２ａ、携帯電話２ｂ等）が接続されている。
通信ネットワークＮは、インターネットや電気通信事業者等の電話回線網、携帯電話通信網等であり、当該通信ネットワークＮに接続するサーバ１とクライアント２の間を、データ通信可能に接続する。
【００２１】
このようなネットワークシステムにおいて、クライアント２が検索サービスの利用を指示（例えば、ポータルサイトで検索サービスを選択）すると、サーバ１から検索サービスの画面データ（ＨＴＭＬファイル等）が送信され、クライアント２の画面には検索サービス画面が表示される。そして、この検索サービスにおいて、ユーザがキーワードを入力する等してサーバ１に対して検索要求を行うと、サーバ１はネットワークＮ上の各種ウェブサーバ（図示略）により公開されている情報（ウェブサイトやウェブページ）を検索し、検索条件に適合する検索結果をクライアント２に提示する。
【００２２】
サーバ１が提供する検索サービスにおいては、キーワードが演算子で結合された検索式による検索が可能となっている。従来、この検索式による検索は、ユーザが検索窓に直接検索式を入力することにより実現されていた。
本実施形態では、サーバ１に予め登録され、クライアント２が検索サービスで利用しうる検索式を、当該クライアント２に対して提示することにより、検索サービスにおいて簡単に検索式による検索を行えるようにしている。
【００２３】
図２は、サーバ１のハードウェア構成の概略を示すブロック図である。本実施形態におけるサーバ１は、例えば、クライアント２に検索サービスを提供するポータルサイトのウェブサーバ（検索サーバ）である。また、検索サービスで利用しうる検索式をクライアント２に対して提示し、この検索式による検索が自動的に実行できるようにする。すなわち、サーバ１は、本発明に係る検索支援装置として機能する。
【００２４】
図２に示すように、サーバ１は、制御部１１、記憶部（補助記憶）１２、入出力部１３、通信部１４、データベース１５等を備えた一般的なコンピュータである。各ブロックはバスライン１６により電気的に接続されている。
【００２５】
制御部１１は、演算／制御装置としてのＣＰＵ（Central Processing Unit）１１１、主記憶装置としてのＲＡＭ（Random Access Memory）１１２及びＲＯＭ（Read Only Memory）１１３で構成される。
ＲＯＭ１１３には、ＢＩＯＳ（Basic Input Output System）と呼ばれるプログラムや基本的な設定データが記憶されている。ＲＡＭ１１２には、記憶部１２から読み出されたＯＳや各種アプリケーションなどのプログラムが展開される。
ＣＰＵ１１１は、ＲＡＭ１１２に展開されたプログラムに従って各種処理を実行し、各ブロックを制御する。
【００２６】
記憶部１２は、例えばハードディスク等で構成され、ＯＳ、各種アプリケーションプログラム（例えば、サーバ用プログラムやウェブアプリケーションプログラム（検索プログラムを含む））、及びポータルサイトのウェブページデータ（例えば、ＨＴＭＬファイル）等の各種データが記憶されている。
入出力部１３は、サーバ１の管理者が利用するためのユーザインターフェースを構成する。
通信部１４は、ＴＣＰ／ＩＰ等の通信プロトコルに従って処理を行い、ネットワークＮを介してクライアント２とデータの送受信を行う。
【００２７】
データベース１５は、検索式データベース１５ａとユーザデータベース１５ｂを含んで構成される。
検索式データベース１５ａには、クライアント２が検索サービスで利用しうる検索式を当該クライアント２に対して提示するためのデータが格納されている。具体的には、図４に示すように、複数のキーワードが演算子で結合された検索式ごとに、検索式の識別情報（検索式ＩＤ）、検索式のデータ、アイコンの画像データ、検索式のタイトルデータ、検索式により得られる検索結果データが登録されている。
なお、検索結果データについては検索結果ＩＤが登録されており、検索結果ＩＤに対応する検索結果のデータ本体は別領域に格納されている。この検索結果は、例えば、検索式生成時に当該検索式による検索で得られた検索結果であり、当該検索式によりどのような検索結果が得られるかを示しているに過ぎず、現時点において同様の検索結果が得られることを保証するものではない。つまり、対応する検索式による検索で得られることが期待される予想検索結果である。
【００２８】
図４では、“神奈川県  ＡＮＤ  （横浜  ＯＲ  川崎）  ＡＮＤ  （住宅  ＯＲ  住居）”という、神奈川県の横浜または川崎にある住宅または住居の情報を検索するための検索式が登録されており、この検索式には検索ＩＤ“１２３１２３”が付与されている。また、家を模したアイコン画像、“横浜か川崎の住宅・住居情報”というタイトル名、“２２０”という検索結果ＩＤが、検索式に対応付けて登録されている。
“神奈川県  ＡＮＤ  （横浜  ＯＲ  川崎）  ＡＮＤ  （住宅  ＯＲ  住居）”という検索式は、クライアント２の画面上では、検索ＩＤ“１２３１２３”、家を模したアイコン画像、“横浜か川崎の住宅・住居情報”というタイトル名、検索ＩＤ“２２０”に紐付けられた検索結果の表示により提示されることとなる。つまり、クライアント２の画面には、検索式付随情報だけが表示され、検索式自体はユーザに認識されない。
【００２９】
このように、検索式データベース１５ａには、特定の検索結果を得られる検索式と、この検索式に固有の検索式付随情報（検索式ＩＤ、アイコン、タイトル、検索結果）とが、対応付けて登録されている。サーバ１が提供する検索サービスでは、検索式自体ではなく、検索式付随情報をクライアント２の画面に表示することにより、当該クライアント２が検索サービスで利用しうる検索式を提示する。
【００３０】
なお、検索式データベース１５ａには、サーバ管理者により生成された検索式でなく、クライアント２においてユーザにより生成された検索式もアップロードして登録できるようになっている。検索サービスにおいて利用可能な検索式は簡単なものから複雑なものまで多種多様であり、得られる検索結果も様々であるので、ユーザが生成した検索式を流用できるようにするのは極めて有効である。
また、検索式を公開したユーザに対してポータルサイトで利用可能なポイントを付与する等、便宜を図るようにすれば、ユーザは、他のユーザの興味を引く検索結果が得られる検索式を生成して積極的に公開することとなるので、検索式の提供サービスを充実化させることができる。
【００３１】
図３において、ユーザデータベース１５ｂには、サーバ１が提供するポータルサイトで会員専用サービスを利用できるユーザの管理情報（例えば、ログインＩＤ、利用可能なサービス等）が登録されている。
【００３２】
サーバ１のＣＰＵ１１１は、サーバ用ソフトウェア及びウェブアプリケーションを実行することにより、クライアント２のウェブブラウザ上におけるユーザ操作に応じた処理を行う。例えば、クライアント２のウェブブラウザ上において、ユーザがポータルサイトで提供される検索サービスを選択すると、この検索サービスで利用し得る検索式を提示する。
また、提示された検索式がユーザによって選択操作されると、サーバ１は検索条件（検索式）を満たすコンテンツを検索し、検索結果を含む新たなＨＴＭＬファイルを生成し、これをクライアント２に送信する。
【００３３】
図３は、クライアント２のハードウェア構成の概略を示すブロック図である。
図３に示すように、クライアント２は、制御部２１、記憶部２２、入力部２３、表示部２４、通信部部２５等を備えた一般的なパーソナルコンピュータである。各部はバスライン２６により電気的に接続されている。
【００３４】
制御部２１の構成はサーバ１の制御部１１の構成と同様である。
記憶部２２は、例えばハードディスクで構成され、ＯＳ、各種アプリケーションプログラム（例えば、ウェブブラウザプログラム）、及び各種データの他、サーバ１からダウンロードしたコンテンツ（例えば、ウェブページで公開されている画像）のデータ等を記憶する。
入力部２３は、例えば、キーボード及びマウスで構成され、ユーザが情報を入力する際に使用される。
表示部２４は、例えば、液晶ディスプレイ等で構成され、制御部２１からの表示制御指令に基づいて所定の画面を表示する。表示部２５には、例えば、ウェブブラウザのＧＵＩが表示される。
通信部２５は、ＴＣＰ／ＩＰ等の通信プロトコルに従って処理を行い、ネットワークＮを介してサーバ１とデータの送受信を行う。
【００３５】
クライアント２のＣＰＵ２１１は、例えば、起動したウェブブラウザ上において、ユーザが操作部２４によりＵＲＬを入力すると、このＵＲＬで指定されるウェブページをサーバ１に要求する。そして、サーバ１から送信されたＨＴＭＬファイルを解析して、ウェブブラウザ上にウェブページを表示する。また、サーバ１により提供される検索サービスにおいて、ユーザがウェブブラウザ上に提示された検索式の選択操作を行うと、この検索式による検索要求が自動的に行われる。
【００３６】
本実施形態では、クライアント２のウェブブラウザ上に表示される検索サービス画面において、予め検索式データベース１５ａに登録されている検索式（登録検索式）のリストを提示し、この検索式リストの中から選択された検索式が、クライアント２が検索に利用し得る検索式（利用検索式）としてお気に入りに登録されるようになっている。つまり、お気に入りに登録された検索式がユーザによって選択操作されることで、検索式による検索が実行される。
【００３７】
図５は、クライアント２のウェブブラウザに表示される検索サービスの画面例を示す説明図である。なお、検索式データベース１５ａには図４に示すデータが格納されているものとする。
図５に示すように、検索サービス画面Ｄ１は、検索条件となるキーワード（検索式を含む）の入力欄を含む検索窓ＳＷ、検索式データベース１５ａに登録されている検索式を提示する検索式リスト窓ＬＷ、及びクライアント２が検索サービスで利用しうる検索式を提示するお気に入り窓ＢＷ、を有している。また、図５の左上領域にはログインユーザ名Ｕが表示されており、ユーザＩＤが“ＡＢＣ”のユーザがログインして検索サービスを利用していることを示している。
【００３８】
検索式リスト窓ＬＷは、検索式ごとに表示領域が分割され（表示領域ＡＲ１、ＡＲ２）、それぞれの表示領域ＡＲ１、ＡＲ２には検索式が提示されている。具体的には、表示領域ＡＲ１には検索式データベース１５ａに登録されている検索ＩＤ“１２３１２３”の検索式が提示され、表示領域ＡＲ２には検索ＩＤ“１２３１２４”の検索式が提示されている。なお、図５では、検索式リスト窓ＬＷに２つの検索式だけが提示されているが、検索式リスト窓ＬＷに表示される情報は上下方向にスクロールできるようになっている。
このとき、検索式リスト窓ＬＷには、複数のクライアント２において取得された頻度（選択頻度）の高い順に検索式を並び替えて提示する。これにより、ユーザは、他のユーザによって利用されている検索式、すなわち利用価値の高い検索式を容易に認識することができるので、検索式を選択する上で参考とすることができる。
【００３９】
表示領域ＡＲ１、ＡＲ２には、検索式自体ではなく、それぞれの検索式に対応する検索式付随情報（Ｉ１１〜Ｉ１４、Ｉ２１〜Ｉ２４）が表示されている。検索を行おうとするユーザにとっては、どのような検索結果が得られるのかを認識できれば足り、その検索式の構造を認識する必要はないためである。図５に示すように、検索式に付けられたタイトル名Ｉ１２、Ｉ１３や、検索式により得られることが期待される検索結果Ｉ１４、Ｉ２４により、ユーザは当該検索式を利用するか否かを判断することができる。
【００４０】
また、それぞれの表示領域ＡＲ１、ＡＲ２には、「この検索式を取得しますか」と表記された入力部品（取得ボタン）Ｂ１、Ｂ２が配設されている。この取得ボタンＢ１、Ｂ２がユーザによって選択操作（例えば、クリック操作）されると、当該取得ボタンに対応する検索式が、クライアント２が検索サービスで利用しうる検索式として取得され、お気に入り窓ＢＷに追加される。図５に示す検索サービス画面のＨＴＭＬファイルに、ユーザが取得ボタンＢ１、Ｂ２をクリック操作することに基づいてお気に入り窓ＢＷに検索式を追加するための制御プログラムを埋め込むことにより、上記処理は実現される。
【００４１】
お気に入り窓ＢＷには、検索式ＩＤ“１２３１２３”の検索式付随情報が表示されており、クライアント２が検索サービスで利用しうる検索式として取得されていることを示している。このお気に入り窓ＢＷにおいても、検索式は対応する検索式付随情報（Ｉ１１〜Ｉ１３）により提示されている。
【００４２】
お気に入り窓ＢＷに表示される検索式付随情報としては、検索式の識別情報Ｉ１１、アイコンＩ１２、タイトル名Ｉ１３のうちのいずれか一つが含まれるようにする。また、図５のお気に入り窓ＢＷには表示されていないが、対応する検索式による検索で得られることで期待される予想検索結果（検索式リストＬＷの検索結果Ｉ１４）が含まれるようにしてもよい。
これにより、ユーザは、検索式の実体を意識することなく検索式による検索要求を行い、所望する検索結果を得ることができる。また、予想検索結果が表示されているので、検索式により得られるはずの検索結果を予め把握することができ、何れの検索式による検索を行うべきかを容易に認識できる。
【００４３】
お気に入り窓ＢＷに提示されている検索式がユーザによって選択操作（例えば、アイコンＩ１３のクリック操作、またはアイコンＩ１３を検索窓ＳＷにドラッグする操作）されると、サーバ１に対して当該検索式による検索要求が行われる。図５に示す検索サービス画面のＨＴＭＬファイルに、お気に入り窓ＢＷにおけるユーザの選択操作に伴い、選択された検索式による検索を検索サーバに実行させるための制御プログラム（検索制御情報）を埋め込むことにより、上記処理は実現される。
【００４４】
図６は、本実施形態に係る検索式による検索を行うときの、サーバ１とクライアント２間の処理手順の一例について示すフローチャートである。図６に示す処理は、例えば、ポータルサイトのトップページにおいて、検索サービスが選択されたときに開始される。
【００４５】
図６において、ステップＳ１０１では、サーバ１からクライアント２に対して、検索サービス画面のデータが送信される。この画面データには、例えば、検索サービス画面のベースとなるＨＴＭＬファイル、このＨＴＭＬファイルに埋め込まれた制御プログラム、画像ファイル、等が含まれる。
ステップＳ１０２では、クライアント２のウェブブラウザにより検索サービス画面のデータが解析され、図５に示すような検索サービス画面が表示される。
【００４６】
図５に示す検索サービス画面Ｄ１では、検索式リスト窓ＬＷに検索式に対応する検索式付随情報が表示されている。すなわち、サーバ１は、検索式付随情報（図５のＩ１１〜Ｉ１４、Ｉ２１〜Ｉ２４）をクライアント２の画面に表示することにより、検索式データベース１５ａに登録されている複数の検索式をリスト形式で提示する登録検索式提示手段を備える。
【００４７】
ステップＳ１０３において、ユーザによる取得ボタンＢ１またはＢ２のクリック操作を受け付けると、この取得要求がサーバ１に対して送信される。
ステップＳ１０４では、取得要求された検索式が、当該ユーザが検索サービスにおいて利用しうる検索式として登録される。例えば、ユーザデータベース１５ｂにおいて、ログインユーザのＩＤに対応付けて、取得要求された検索式のＩＤが登録される。つまり、本実施形態では、クライアント２が検索サービスで利用しうる検索式は、サーバ１側で管理されている。
ステップＳ１０５では、お気に入り窓ＢＷに取得要求された検索式が追加された検索サービス画面のデータが送信される。
ステップＳ１０６では、クライアント２における検索サービス画面が更新される。すなわち、クライアント２において起動されたウェブブラウザ上に、選択された検索式が提示される。
【００４８】
図５に示す検索サービス画面Ｄ１において、お気に入り窓ＢＷに提示される検索式は、クライアント２が検索サービスで利用しうる検索式である。また、お気に入り窓ＢＷに検索式付随情報を表示することにより、当該検索式付随情報に対応する検索式が、クライアント２が利用しうる検索式であることを示している。
すなわち、サーバ１は、検索式データベース１５ａに登録されている検索式のうち、クライアント２が検索サービスで利用しうる検索式を提示する利用検索式提示手段を備える。また、利用検索式提示手段は、登録検索式提示手段により提示された複数の検索式（検索式リスト窓ＬＷに提示された検索式）のうち、クライアント２におけるユーザ操作に基づいて選択された検索式を、当該クライアント２が検索サービスで利用しうる検索式として提示する。
【００４９】
ステップＳ１０７において、お気に入り窓ＢＷに提示された検索式に対応するアイコンＩ１３がユーザにより選択操作（クリック操作または検索窓ＳＷへのドラッグ操作）されると、検索式による検索要求がなされたものと判断され、この検索要求がサーバ１に対して送信される。すなわち、クライアント２において、利用検索式提示手段により提示された検索式の選択操作が行われると、検索制御情報（制御プログラム）に基づく処理が実行され、選択された検索式による検索要求が検索サーバ（サーバ１）に対して行われる。
このように、お気に入り窓ＢＷに提示される検索式（検索式付随情報）には、ユーザ操作に基づいて当該検索式による検索をサーバ１に対して要求する制御プラグラムが関連付けられている。すなわち、サーバ１は、利用検索式提示手段により提示された検索式による検索を検索サーバ（サーバ１）に実行させるための検索制御情報（制御プログラム）をクライアント２に提供する制御情報提供手段を備える。
【００５０】
ステップＳ１０８では、サーバ１において、検索式による検索が実行される。
ステップＳ１０９では、検索結果画面のデータが生成され、クライアント２に対して送信される。
ステップＳ１１０では、クライアント２において検索結果画面が表示される。例えば、図５に示すお気に入り窓ＢＷに提示されている検索式が選択操作された場合は、検索式リスト窓ＬＷにおいて表示されている検索結果Ｉ１４のような検索結果が表示されることとなる。なお、検索結果Ｉ１４は当該検索式が登録された時点の検索結果であるため、ステップＳ１１０で表示される検索結果と一致するとは限らない。
【００５１】
本実施形態では、ユーザは、検索式を意識することなく簡単な操作により、検索式による検索要求を検索サーバに対して行うことができ、所望の検索結果を容易に取得することができる。
具体的には、ユーザはクライアント２の画面（検索サービスのお気に入り窓ＢＷ）に表示されている検索式付随情報を選択操作するだけで、所定の検索式による検索を容易に検索サーバに要求することができる。検索サービス画面において検索式自体は一切表示されないので、ユーザは検索式を意識することなく所望の検索結果を得ることができる。したがって、検索式による検索に不慣れなユーザにとって特に有効である。
【００５２】
（変形例）
上記実施形態では、クライアント２のウェブブラウザ上のお気に入り窓ＢＷに、検索式リストＬＷの中から選択された検索式を提示するようにしているが、クライアント２のデスクトップ上に、選択された検索式を提示するようにしてもよい。
【００５３】
図７は、変形例に係る検索式による検索を行うときの、サーバ１とクライアント２間の処理手順の一例について示すフローチャートである。
図７において、ステップＳ２０１〜Ｓ２０３は、図６のステップＳ１０１〜Ｓ１０３と同様である。
ステップＳ２０４では、ステップＳ２０３で取得要求された検索式に対応する検索プログラム（例えば、ウィジェット）がクライアント２に対して送信され、ダウンロードされる。この検索プログラムは、ユーザ操作（例えば、アイコンのクリック操作）に基づいて、ウェブブラウザを起動し（既に起動されている場合は省略）、検索サービスのウェブページに移行した後、検索プログラムに対応付けられた検索式による検索要求を自動的に行う検索制御情報である。
ステップＳ２０５では、クライアント２のデスクトップ上に、ダウンロードされた検索プログラムのアイコン（例えば、検索式付随情報として登録されているアイコン）が表示される。変形例では、クライアント２のデスクトップ上に、登録検索式提示手段により提示された検索式（例えば、図５の検索式リストＬＷの表示）の中から選択された検索式が、検索プログラムを起動するトリガとなるアイコンで提示される（利用検索式提示手段、制御情報提供手段）。つまり、クライアント２が検索サービスで利用しうる検索式は、クライアント２側で管理されている。
【００５４】
ステップＳ２０６において、デスクトップに提示された検索プログラムのアイコンがユーザにより選択操作（クリック操作）されると、検索式による検索要求がなされたものと判断され、ウェブブラウザを介して検索要求がサーバ１に対して送信される。すなわち、クライアント２において、利用検索式提示手段により提示された検索式（デスクトップ上のアイコン表示）の選択操作が行われると、検索制御情報（検索プログラム）に基づく処理が実行され、選択された検索式による検索要求が検索サーバ（サーバ１）に対して行われる。
【００５５】
ステップＳ２０７では、サーバ１において、検索式による検索が実行される。
ステップＳ２０８では、検索結果画面のデータが生成され、クライアント２に対して送信される。
ステップＳ２０９では、クライアント２において検索結果画面が表示される。
【００５６】
このように、変形例においても、ユーザは、検索式を意識することなく簡単な操作により、検索式による検索要求を検索サーバに対して行うことができ、所望の検索結果を容易に取得することができる。具体的には、ユーザはクライアント２のデスクトップ上に表示されている検索式を示すアイコンを選択操作するだけで、所定の検索式による検索を容易に検索サーバに要求することができる。
【００５７】
以上、本発明者によってなされた発明を実施形態に基づいて具体的に説明したが、本発明は上記実施形態に限定されるものではなく、その要旨を逸脱しない範囲で変更可能である。
【００５８】
例えば、上記実施形態では、検索式リスト窓ＬＷに提示された検索式の中から選択された検索式が、お気に入り窓ＢＷまたはデスクトップ上に提示され、これを選択することで検索式による検索が行われるようになっているが、検索式リスト窓ＬＷに提示された検索式の中から選択された検索式でもって、直接検索式による検索が行われるようにしてもよい。この場合、検索式リスト窓ＬＷの表示は、登録検索式提示手段による検索式の提示であるとともに、利用検索式提示手段による検索式の提示となる。
【００５９】
また、本発明によれば、検索式自体が流通することとなるので、この検索式を広告媒体として利用することもできる。この場合、検索式データベース１５ａには、利用しうる検索式をクライアント２に対して提示するときに、検索式付随情報とともに表示する広告情報を、検索式ごとに登録しておく。このとき、広告情報として広告ＩＤを登録しておき、広告ＩＤに対応する広告のデータ本体は広告データベースに格納されるようにしておけば、広告データベースに格納されている広告情報を流用できる。
【００６０】
図８は、クライアント２のウェブブラウザに表示される検索サービス画面の変形例を示す説明図である。
図８に示す検索サービス画面Ｄ２において、例えば、検索式リスト窓ＬＷに、検索式付随情報（Ｉ１１〜Ｉ１４、Ｉ２１〜Ｉ２４）とともに広告情報Ｉ１５、Ｉ２５を表示する。また、お気に入りリスト窓ＢＷに、検索式付随情報（Ｉ１１〜Ｉ１３）とともに広告情報Ｉ１５を表示する。このとき、検索式に対応して複数の広告情報が登録されている場合は、所定の時間間隔で広告表示は順次変更される。
【００６１】
このように、検索式の提供サービスにおいて検索式の提示とともに広告を表示させることで、サービス提供者は広告主からの広告収入を得ることができる。広告主は、利用価値の高い検索式（ユーザによる利用頻度が高い検索式）を選択して、自社の広告情報を登録することで、効率的な広告配信が可能となる。
また、検索式をアップロードしたユーザに対して広告配信による利益を付与するようにすれば、ユーザは積極的に検索式を生成して公開することとなり、さらに検索式が流通することとなる。その結果、利用価値の低い検索式は淘汰され、利用価値の高い検索式が優先して提示されることとなり、検索式の提供サービスがさらに便利になる。
【００６２】
また、上記実施形態では、サーバ１が検索サーバとしての機能と、検索支援装置としての機能を兼ねるようにしているが、それぞれ別々の構成とすることができる。また、検索支援装置によりクライアント２に提示された検索式は、他のポータルサイトが提供する検索サービスにおいて利用できるようにしてもよい。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６４】
【図１】本実施形態に係るネットワーク構成について示す概略図である。
【図２】サーバ１のハードウェア構成の概略を示すブロック図である。
【図３】クライアント２のハードウェア構成の概略を示すブロック図である。
【図４】検索式データベース１５ａのデータ構成の一例について示す説明図である。
【図５】クライアント２のウェブブラウザに表示される検索サービスの画面例を示す説明図である。
【図６】サーバ１とクライアント２間の処理手順の一例について示すフローチャートである。
【図７】変形例に係る検索式による検索を行うときの、サーバ１とクライアント２間の処理手順の一例について示すフローチャートである。
【図８】クライアント２のウェブブラウザに表示される検索サービス画面の変形例を示す説明図である。
【図９】検索式に用いられる演算子の一例を示す説明図である。
【図１０】特定の検索結果を得るための検索式の入力例について示す説明図である。
【符号の説明】
【００６５】
Ｄ１  検索サービス画面
ＳＷ  検索窓
ＬＷ  検索式リスト窓（登録検索式提示手段による表示）
ＢＷ  お気に入り窓（利用検索式提示手段による表示）
Ｉ１１〜Ｉ１４、Ｉ２１〜Ｉ１４  検索式付随情報
Ｂ１、Ｂ２  取得ボタン
Ｕ  ログインユーザ名
【図１】
2010009465.tif 000003
【図２】
2010009465.tif 000004
【図３】
2010009465.tif 000005
【図４】
2010009465.tif 000006
【図５】
2010009465.tif 000007
【図６】
2010009465.tif 000008
【図７】
2010009465.tif 000009
【図８】
2010009465.tif 000010
【図９】
2010009465.tif 000011
【図１０】
2010009465.tif 000012
【手続補正書】
【提出日】平成21年9月1日(2009.9.1)
【手続補正１】
【補正対象書類名】特許請求の範囲
【補正対象項目名】請求項１
【補正方法】変更
【補正の内容】
【請求項１】
キーワードが演算子で結合された検索式による検索サービスを提供する検索サーバと、前記検索サーバにネットワーク接続され、前記検索サーバに対して検索式による検索要求を行う複数のクライアント端末と、で構成されるネットワークシステムにおいて、前記クライアント端末における検索式による検索要求を支援する検索支援装置であって、
特定の検索結果を得られる検索式と、この検索式に固有の検索式付随情報とが、対応付けて登録された検索式データベースと、
前記検索式データベースに登録されている検索式のうち、前記クライアント端末が検索サービスで利用し得る検索式を提示する利用検索式提示手段と、
前記利用検索式提示手段により提示された検索式による検索を前記検索サーバに実行させるための検索制御情報を前記クライアント端末に提供する制御情報提供手段と、を備え、
前記利用検索式提示手段は、前記検索式付随情報を前記クライアント端末の画面に表示することにより、当該検索式付随情報に対応する検索式が、前記クライアント端末が利用し得る検索式であることを示し、
前記クライアント端末において、前記利用検索式提示手段により提示された検索式の選択操作が行われたときに、前記検索制御情報に基づく処理が実行され、前記検索サーバに対して前記選択された検索式による検索要求が行われることを特徴とする検索支援装置。
【手続補正２】
【補正対象書類名】特許請求の範囲
【補正対象項目名】請求項４
【補正方法】変更
【補正の内容】
【請求項４】
前記検索式付随情報を前記クライアント端末の画面にリスト形式で表示することにより、前記検索式データベースに登録されている複数の検索式を提示する登録検索式提示手段を備え、
前記利用検索式提示手段は、前記登録検索式提示手段により提示された複数の検索式のうち、前記クライアント端末におけるユーザ操作に基づいて選択された検索式を、当該クライアント端末が前記検索サービスで利用し得る検索式として提示することを特徴とする請求項１から３のいずれか一項に記載の検索支援装置。
【手続補正３】
【補正対象書類名】特許請求の範囲
【補正対象項目名】請求項７
【補正方法】変更
【補正の内容】
【請求項７】
前記利用検索式提示手段は、前記クライアント端末におけるデスクトップ上に、選択された前記検索式付随情報に対応する検索式を提示することを特徴とする請求項４または５に記載の検索支援装置。
【手続補正４】
【補正対象書類名】明細書
【補正対象項目名】０００９
【補正方法】変更
【補正の内容】
【０００９】
上記目的を達成するため、請求項１に記載の発明は、キーワードが演算子で結合された検索式による検索サービスを提供する検索サーバと、前記検索サーバにネットワーク接続され、前記検索サーバに対して検索式による検索要求を行う複数のクライアント端末と、で構成されるネットワークシステムにおいて、前記クライアント端末における検索式による検索要求を支援する検索支援装置であって、
特定の検索結果を得られる検索式と、この検索式に固有の検索式付随情報とが、対応付けて登録された検索式データベースと、
前記検索式データベースに登録されている検索式のうち、前記クライアント端末が検索サービスで利用し得る検索式を提示する利用検索式提示手段と、
前記利用検索式提示手段により提示された検索式による検索を前記検索サーバに実行させるための検索制御情報を前記クライアント端末に提供する制御情報提供手段と、を備え、
前記利用検索式提示手段は、前記検索式付随情報を前記クライアント端末の画面に表示することにより、当該検索式付随情報に対応する検索式が、前記クライアント端末が利用し得る検索式であることを示し、
前記クライアント端末において、前記利用検索式提示手段により提示された検索式の選択操作が行われたときに、前記検索制御情報に基づく処理が実行され、前記検索サーバに対して前記選択された検索式による検索要求が行われることを特徴とする。
【手続補正５】
【補正対象書類名】明細書
【補正対象項目名】００１２
【補正方法】変更
【補正の内容】
【００１２】
請求項４に記載の発明は、請求項１から３のいずれか一項に記載の検索支援装置において、前記検索式付随情報を前記クライアント端末の画面にリスト形式で表示することにより、前記検索式データベースに登録されている複数の検索式を提示する登録検索式提示手段を備え、
前記利用検索式提示手段は、前記登録検索式提示手段により提示された複数の検索式のうち、前記クライアント端末におけるユーザ操作に基づいて選択された検索式を、当該クライアント端末が前記検索サービスで利用し得る検索式として提示することを特徴とする。
【手続補正６】
【補正対象書類名】明細書
【補正対象項目名】００１５
【補正方法】変更
【補正の内容】
【００１５】
請求項７に記載の発明は、請求項４または５に記載の検索支援装置において、前記利用検索式提示手段は、前記クライアント端末におけるデスクトップ上に、選択された前記検索式付随情報に対応する検索式を提示することを特徴とする。
【手続補正７】
【補正対象書類名】明細書
【補正対象項目名】００２０
【補正方法】変更
【補正の内容】
【００２０】
図１に示すように、サーバ１には、ネットワークＮを介してクライアント２（例えば、パーソナルコンピュータ２ａ、携帯電話２ｂ等）が接続されている。
ネットワークＮは、インターネットや電気通信事業者等の電話回線網、携帯電話通信網等であり、当該ネットワークＮに接続するサーバ１とクライアント２の間を、データ通信可能に接続する。
【手続補正８】
【補正対象書類名】明細書
【補正対象項目名】００２８
【補正方法】変更
【補正の内容】
【００２８】
図４では、“神奈川県  ＡＮＤ  （横浜  ＯＲ  川崎）  ＡＮＤ  （住宅  ＯＲ  住居）”という、神奈川県の横浜または川崎にある住宅または住居の情報を検索するための検索式が登録されており、この検索式には検索式ＩＤ“１２３１２３”が付与されている。また、家を模したアイコン画像、“横浜か川崎の住宅・住居情報”というタイトル名、“２２０”という検索結果ＩＤが、検索式に対応付けて登録されている。
“神奈川県  ＡＮＤ  （横浜  ＯＲ  川崎）  ＡＮＤ  （住宅  ＯＲ  住居）”という検索式は、クライアント２の画面上では、検索式ＩＤ“１２３１２３”、家を模したアイコン画像、“横浜か川崎の住宅・住居情報”というタイトル名、検索結果ＩＤ“２２０”に紐付けられた検索結果の表示により提示されることとなる。つまり、クライアント２の画面には、検索式付随情報だけが表示され、検索式自体はユーザに認識されない。
【手続補正９】
【補正対象書類名】明細書
【補正対象項目名】００２９
【補正方法】変更
【補正の内容】
【００２９】
このように、検索式データベース１５ａには、特定の検索結果を得られる検索式と、この検索式に固有の検索式付随情報（検索式ＩＤ、アイコン、タイトル、検索結果ＩＤ）とが、対応付けて登録されている。サーバ１が提供する検索サービスでは、検索式自体ではなく、検索式付随情報をクライアント２の画面に表示することにより、当該クライアント２が検索サービスで利用しうる検索式を提示する。
【手続補正１０】
【補正対象書類名】明細書
【補正対象項目名】００３１
【補正方法】変更
【補正の内容】
【００３１】
図２において、ユーザデータベース１５ｂには、サーバ１が提供するポータルサイトで会員専用サービスを利用できるユーザの管理情報（例えば、ログインＩＤ、利用可能なサービス等）が登録されている。
【手続補正１１】
【補正対象書類名】明細書
【補正対象項目名】００３３
【補正方法】変更
【補正の内容】
【００３３】
図３は、クライアント２のハードウェア構成の概略を示すブロック図である。
図３に示すように、クライアント２は、制御部２１、記憶部２２、入力部２３、表示部２４、通信部２５等を備えた一般的なパーソナルコンピュータである。各部はバスライン２６により電気的に接続されている。
【手続補正１２】
【補正対象書類名】明細書
【補正対象項目名】００３４
【補正方法】変更
【補正の内容】
【００３４】
制御部２１の構成はサーバ１の制御部１１の構成と同様である。
記憶部２２は、例えばハードディスクで構成され、ＯＳ、各種アプリケーションプログラム（例えば、ウェブブラウザプログラム）、及び各種データの他、サーバ１からダウンロードしたコンテンツ（例えば、ウェブページで公開されている画像）のデータ等を記憶する。
入力部２３は、例えば、キーボード及びマウスで構成され、ユーザが情報を入力する際に使用される。
表示部２４は、例えば、液晶ディスプレイ等で構成され、制御部２１からの表示制御指令に基づいて所定の画面を表示する。表示部２４には、例えば、ウェブブラウザのＧＵＩが表示される。
通信部２５は、ＴＣＰ／ＩＰ等の通信プロトコルに従って処理を行い、ネットワークＮを介してサーバ１とデータの送受信を行う。
【手続補正１３】
【補正対象書類名】明細書
【補正対象項目名】００３５
【補正方法】変更
【補正の内容】
【００３５】
クライアント２のＣＰＵ２１１は、例えば、起動したウェブブラウザ上において、ユーザが入力部２３によりＵＲＬを入力すると、このＵＲＬで指定されるウェブページをサーバ１に要求する。そして、サーバ１から送信されたＨＴＭＬファイルを解析して、ウェブブラウザ上にウェブページを表示する。また、サーバ１により提供される検索サービスにおいて、ユーザがウェブブラウザ上に提示された検索式の選択操作を行うと、この検索式による検索要求が自動的に行われる。
【手続補正１４】
【補正対象書類名】明細書
【補正対象項目名】００３８
【補正方法】変更
【補正の内容】
【００３８】
検索式リスト窓ＬＷは、検索式ごとに表示領域が分割され（表示領域ＡＲ１、ＡＲ２）、それぞれの表示領域ＡＲ１、ＡＲ２には検索式が提示されている。具体的には、表示領域ＡＲ１には検索式データベース１５ａに登録されている検索式ＩＤ“１２３１２３”の検索式が提示され、表示領域ＡＲ２には検索式ＩＤ“１２３１２４”の検索式が提示されている。なお、図５では、検索式リスト窓ＬＷに２つの検索式だけが提示されているが、検索式リスト窓ＬＷに表示される情報は上下方向にスクロールできるようになっている。
このとき、検索式リスト窓ＬＷには、複数のクライアント２において取得された頻度（選択頻度）の高い順に検索式を並び替えて提示する。これにより、ユーザは、他のユーザによって利用されている検索式、すなわち利用価値の高い検索式を容易に認識することができるので、検索式を選択する上で参考とすることができる。
【手続補正１５】
【補正対象書類名】明細書
【補正対象項目名】００３９
【補正方法】変更
【補正の内容】
【００３９】
表示領域ＡＲ１、ＡＲ２には、検索式自体ではなく、それぞれの検索式に対応する検索式付随情報（Ｉ１１〜Ｉ１４、Ｉ２１〜Ｉ２４）が表示されている。検索を行おうとするユーザにとっては、どのような検索結果が得られるのかを認識できれば足り、その検索式の構造を認識する必要はないためである。図５に示すように、検索式に付けられたタイトル名Ｉ１２、Ｉ２２や、検索式により得られることが期待される検索結果Ｉ１４、Ｉ２４により、ユーザは当該検索式を利用するか否かを判断することができる。
【手続補正１６】
【補正対象書類名】明細書
【補正対象項目名】００４２
【補正方法】変更
【補正の内容】
【００４２】
お気に入り窓ＢＷに表示される検索式付随情報としては、検索式の検索式ＩＤＩ１１、アイコンＩ１３、タイトル名Ｉ１２のうちのいずれか一つが含まれるようにする。また、図５のお気に入り窓ＢＷには表示されていないが、対応する検索式による検索で得られることで期待される予想検索結果（検索式リストＬＷの検索結果Ｉ１４）が含まれるようにしてもよい。
これにより、ユーザは、検索式の実体を意識することなく検索式による検索要求を行い、所望する検索結果を得ることができる。また、予想検索結果が表示されているので、検索式により得られるはずの検索結果を予め把握することができ、何れの検索式による検索を行うべきかを容易に認識できる。
【手続補正１７】
【補正対象書類名】明細書
【補正対象項目名】００６５
【補正方法】変更
【補正の内容】
【００６５】
Ｄ１  検索サービス画面
ＳＷ  検索窓
ＬＷ  検索式リスト窓（登録検索式提示手段による表示）
ＢＷ  お気に入り窓（利用検索式提示手段による表示）
Ｉ１１〜Ｉ１４、Ｉ２１〜Ｉ２４  検索式付随情報
Ｂ１、Ｂ２  取得ボタン
Ｕ  ログインユーザ名